(57)【要約】【課題】  ショートサーキットの発生を一層抑制して室内空気の循環効率を向上させた空気調和機を実現する。【解決手段】  空気調和機の室内機２は、筐体１０の吸込み口１４から室内空気を吸込んで筐体１０の吹出し口１６ａから空気を吹出す室内ファン３４、室内ファン３４の吸込み部にファン３４に支持させて設けられ吸込み流を案内する筒状のシュラウド５２、室内機２の環状部５０に支持して設けられ吸込み口１４から吸込まれる空気流をシュラウド５２に案内するマウスリング３８を備え、マウスリング３８は、吸込み口１４側からシュラウド５２側に向かって縮径して形成され、マウスリング３８の先端部がシュラウド５２の先端部に挿入され、シュラウド５２内面に間隔を空けて配置され、シュラウド５２の先端部を包囲して間隔を空けて配置され、マウスリング３８の環状部５０から起立した環状のリブ５６を設ける。【選択図】  図２ 
2005241220.tif 000002
【特許請求の範囲】
【請求項１】
室内機の筐体に形成された吸込み口から室内空気を吸込んで前記筐体に設けられた吹出し口から室内に空気を吹出す室内ファンと、該室内ファンの吸込み部に該ファンに支持させて設けられ吸込み流を案内する筒状のシュラウドと、前記室内機の固定部材に支持して設けられ前記吸込み口から吸込まれる空気流を前記シュラウドに案内するマウスリングとを備え、該マウスリングは、前記吸込み口側から前記シュラウド側に向かって縮径して形成され、前記マウスリングの先端部が前記シュラウドの先端部に挿入され、かつ前記シュラウド内面に間隔を空けて配置されてなる空気調和機において、
前記シュラウドの先端部を包囲して間隔を空けて配置され、前記マウスリングの前記固定部材から起立した環状のリブが設けられてなることを特徴とする空気調和機。
【請求項２】
前記マウスリングは、該マウスリングの周縁から径方向に延在する支持板と、該支持板に形成され前記室内機に設けられる係止部に係止する固定用つめを有してなることを特徴とする請求項１に記載の空気調和機。
【発明の詳細な説明】
【技術分野】
【０００１】
本発明は、空気調和機に関し、具体的には室内機の構造に関する。
【背景技術】
【０００２】
エアコンなどに利用される空気調和機の室内機は、ファンケースに回転可能に支持された室内ファンにより室内空気が吸込まれ、吸込まれた室内空気は熱交換器を通過する過程で冷却又は加熱された後、室内ファンにより室内に排出される。
【０００３】
このような室内機では、消費エネルギや騒音を低減するために、室内ファンとして例えば後傾翼のターボファンなどを用いたものが提案されている（例えば、特許文献１参照）。その室内ファンを用いる場合、室内ファンの吸込み部に吸込み流を案内する筒状のシュラウドを支持して設け、吸込み口から吸込まれる空気流をシュラウドに案内するマウスリングを室内機の固定部材に支持する。このマウスリングは、吸込み口側からシュラウド側に向かって縮径して形成され、先端部をシュラウドの先端部に挿入して配置される。このとき、マウスリングとシュラウド内面との間に間隔（以下、ギャップという。）を空けることにより、室内ファンと共に回転するシュラウドがマウスリングに接触することを防止している。
【０００４】
【特許文献１】実開昭５３−１５７５５０号公報
【発明の開示】
【発明が解決しようとする課題】
【０００５】
しかしながら、特許文献１などの室内機では、マウスリングとシュラウドの間に形成されたギャップが、室内ファンの空気排出側の流路に連通される構造を有する。そのため、室内ファンから排出される空気の一部が、逆流してギャップを通って室内ファンの吸込み口に再び吸込まれるという、いわゆるショートサーキットが生じることがある。その結果、室内空気の循環効率が悪くなるという問題がある。
【０００６】
本発明は、ショートサーキットの発生を一層抑制して室内空気の循環効率を向上させた空気調和機を実現することにある。
【課題を解決するための手段】
【０００７】
上記課題を解決するため、本発明の空気調和機は、室内機の筐体に形成された吸込み口から室内空気を吸込んで筐体に設けられた吹出し口から室内に空気を吹出す室内ファンと、室内ファンの吸込み部にファンに支持させて設けられ吸込み流を案内する筒状のシュラウドと、室内機の固定部材に支持して設けられ吸込み口から吸込まれる空気流をシュラウドに案内するマウスリングとを備え、マウスリングは、吸込み口側からシュラウド側に向かって縮径して形成され、マウスリングの先端部がシュラウドの先端部に挿入され、かつシュラウド内面に間隔を空けて配置され、シュラウドの先端部を包囲して間隔を空けて配置されマウスリングの固定部材から起立した環状のリブが設けられてなることを特徴とする。
【０００８】
これによれば、室内ファンから排出される空気の一部が、シュラウドの内面とマウスリングの外面との間に形成されるギャップに通流する過程で、リブが設けられることにより２回屈曲して通流することになる。したがって、室内ファンから排出される空気は、ギャップまで到達し難くなり、ショートサーキットの発生を抑制することができる。
【０００９】
また、マウスリングを室内機の固定部材に取り付ける作業を簡単にするために、マウスリングに、マウスリングの周縁から径方向に延在する支持板と、支持板に形成され室内機に設けられる係止部に係止する固定用つめを設けることができる。これにより、周縁に沿って嵌合用つめを複数設けられたマウスリングに比べ、マウスリングを取り付ける際に固定用つめ及び係止部に加わる力を減らすことができる。したがって、取り付ける作業が簡単になる。また、係止部に滑りが発生しないため製品寿命を長くすることができる。
【発明の効果】
【００１０】
本発明によれば、ショートサーキットの発生を一層抑制して室内空気の循環効率を向上させた空気調和機を実現することにある。
【発明を実施するための最良の形態】
【００１１】
（第１の実施形態）  本発明を適用した空気調和機の第１の実施形態について図１ないし図３を参照して説明する。図１は、本実施形態の空気調和機の斜視図と構成図である。本実施形態は、室内エアコン用の一体型空気調和機に本発明を適用した例である。
【００１２】
図１（ａ）に示すように、空気調和機は、空調機器が収納される筐体１０と、筐体１０の壁面に装着された化粧カバー１２を備えて構成されている。化粧カバー１２は、室内側に臨んで配設される。なお、筐体１０および化粧カバー１２は、例えばポリスチレンなどの樹脂材などから形成されている。筐体１０の上面と側面に室外空気吸込み口１１がそれぞれ形成されている。また、化粧カバー１２の中央に空気の吸込み口１４が形成されている。吸込み口１４を挟んだ両側に吹き出し口１６ａ、１６ｂが形成されている。化粧カバー１２の下側に操作部１８が設けられている。操作部１８のパネルから入力選択された運転モードが、電気収納箱の制御装置に入力されるようになっている。
【００１３】
図１（ｂ）は、本実施形態の空気調和機の内部構成を上側から見た図である。図１（ｂ）に示すように、空気調和機は、ベース４５の中間に設けられた仕切り板２０（図１（ｂ）上の鎖線）を介して室外側の室外機１と室内側の室内機２に大別される。なお、室外機１には、ファンカバー３１により室外ファン室が形成されている。室内機２には、マウスリング３８を支持した室内ファンケース（以下、ファンケース）３６により室内ファン室が形成されている。
【００１４】
室外機１は、ガス冷媒を圧縮する圧縮機２６と、圧縮機２６から吐出される冷媒を凝縮する熱交換器２８と、熱交換器２８に外気を送風する室外ファン３０と、水を貯留する貯水部４２が配設されている。室内機２は、熱交換器２８により凝縮された冷媒を減圧させる減圧手段と、減圧した冷媒を室内空気により蒸発させる熱交換器３２と、室内ファン３４を回転可能に支持するファンケース３６が配設されている。また、熱交換器３２と室内ファン３４との間のファンケース３６の部分に、環状部５０を介してマウスリング３８が支持されている。また、凝縮水が流れ込む露受け４０が設けられている。なお、凝縮水とは、室内空気に含まれる水分が熱交換器３２の表面で凝縮して発生するものである。室外ファン３０と室内ファン３４とを仕切り板２０を貫通した軸に連結するファン用電動機４４が設けられている。空調機器の主要部品は、ベース４５に搭載されてユニット４３を構成し、構成されたユニット４３は筐体１０に収納される。そして、ユニット４３を収納した筐体１０の壁面に化粧カバー１２を装着することで一体型空気調和機が構成される。
【００１５】
このように構成される空気調和機の動作について説明する。操作部１８の電源スイッチがオンされると、圧縮機２６により高温高圧のガス冷媒が吐出される。吐出されたガス冷媒は、室外ファン３０が吹き付ける室外空気により熱交換器２８で凝縮する。凝縮された冷媒は、減圧手段により減圧される。減圧された冷媒は、室内ファン３４により熱交換器３２を通過する室内空気から熱を奪って蒸発する。蒸発した冷媒は、圧縮機２６に戻されて冷凍サイクルを循環する。
【００１６】
ここで、室内空気は、室内ファン３４により、吸込み口１４からユニット４３内に吸込まれる。吸込まれた空気は、熱交換器３２、マウスリング３８を通って室内ファン３４に吸引される。吸引された空気は、熱交換器３２を通過する過程で、熱交換器３２内の冷媒の蒸発により熱を奪われて冷却される。また、その空気は、空気中に含まれている水分が凝縮されて除湿される。冷却かつ除湿された空気は、室内ファン３４により排出された後、吹出し口１６ａ、１６ｂから室内に吹出される。これが繰り返されることによって、室内は、生活に適した快適な環境に調和される。
【００１７】
また、室外空気については、室外ファン３０により、室外空気吸込み口１１から室外ファン室に吸込まれる。吸込まれた空気は、圧縮機２６やファン用電動機４４を通過する過程で昇温される。昇温した空気は、ファンカバー３１に一体に形成されるマウスリングを通って室外ファン室に導かれる。導かれた空気は、室外ファン３０の下側（紙面において室外ファン３０の奥手側）の貯水部２１に貯まった凝縮水を飛散させ霧状にする。霧状にされた凝縮水を含んだ空気は、熱交換器２８に吹き付けられて熱交換器２８を冷やす過程で、熱交換器２８の表面で凝縮水が蒸散処理される。
【００１８】
なお、室内空気を冷却する冷房モードを一例として説明したが、四方切換弁などにより冷媒の流れを必要に応じて逆向きにすることにより、室内空気を暖める暖房モードに切り替えることもできる。
【００１９】
ここで、本発明の室内機の構造について図２を参照して説明する。図２(ａ)は、室内ファン室の詳細構成図である。図２（ｂ）は、図２（ａ）に示す部分Ａの拡大図である。
【００２０】
図２（ａ）に示すように、室内機２は、化粧カバー１２に形成された吸込み口１４から室内空気を吸込んで化粧カバー１２に設けられた吹出し口１６ａ、１６ｂから室内に空気を吹出す室内ファン３４と、室内ファン３４の吸込み部に室内ファン３４に支持させて設けられ吸込み流を案内する筒状のシュラウド５２と、室内機２の環状部５０に支持して設けられ吸込み口１４から吸込まれる空気流をシュラウド５２に案内するマウスリング３８とを備えている。マウスリング３８は、吸込み口１４側からシュラウド５２側に向かって縮径して形成され、マウスリング３８の先端部がシュラウド５２の先端部に挿入され、シュラウド５２内面に間隔（以下、ギャップ）を空けて配置されている。つまり、シュラウド５２の内周面の一部が、マウスリング３８の小径部の外周面の一部とファン軸方向にラップして配置されている。したがって、シュラウド５２とマウスリング３８がラップする部分にギャップが形成される。これによって、室内ファン３４の回転に伴ってシュラウド５２が回転するとき、シュラウド５２がマウスリング３８に接触するのが防がれる。
【００２１】
なお、ファンケース３６は、熱交換器３２の外周を取り囲んで形成されている。シュラウド５２の室内ファン３４に支持される部分が、遠心方向に向かって湾曲して形成することによって室内ファン３４から遠心方向に空気が排出される。室内ファン３４の遠心方向に形成される空気排出口は、ファンケース３６により形成されるダクト３５に連通している。ダクト３５は、下流側が吹出し口１６ａ、１６ｂに連通して形成されている。また、消費エネルギや騒音を低減するために、室内ファン３４として後傾翼のターボファンを用いている。
【００２２】
このような室内機２において、シュラウド５２の外周側にショートサーキット防止用の環状のリブ５６が設けられている。リブ５６は、シュラウド５２の先端部（紙面において下方に位置する部分）を包囲して間隔を空けて配置され、マウスリング３８の環状部５０から起立して設けられる。なお、本実施形態では、マウスリング３８が環状部５０を介して室内機２のファンケース３６に支持された例を説明したが、マウスリング３８をファンケース３６に支持する部材はいずれの形態のものでもよい。要は、その支持部材から起立するリブ５６を設けるようにすればよい。
【００２３】
本実施形態によれば、室内ファン３４の空気排出口から排出された空気の一部がギャップに通流する通流路に、ショートサーキット防止用のリブ５６が設けられることにより、その空気はギャップまで２回屈曲して通流することになる。したがって、室内ファン３４により排出された空気は、ギャップまで到達し難くなり、ショートサーキットの発生を抑制することができる。
【００２４】
また、シュラウド５２の内周面とマウスリング３８の外周面との間に形成されるギャップに室内空気が吹き込むことと騒音が発生すると考えられるが、この点、本実施形態によれば、ギャップに流入する空気量を減らすことができるから、騒音を低減するという効果も得ることができる。
【００２５】
なお、本発明のリブ５６の寸法範囲について説明する。リブ５６の寸法範囲は、室内ファン３４の円周方向に対する半径Ｘとファン軸方向Ｚで決められる。例えば、リブ５６は、室内ファン３４の円周方向について、室内ファン３４の吸込み口外径に対する半径Ｘ１から、室内ファン外径に対する半径Ｘ２までの範囲に設けられる。ただし、室内ファン３４の吸込み口外径に対するＸ１に対し、接触防止のために、外側に少なくとも８ｍｍ離れた位置にリブ５６を設ける。すなわち、リング状のリブ半径Ｘは、（Ｘ１＋８）（ｍｍ）からＸ２（ｍｍ）までの範囲となる。また、リブ５６のファン軸方向の高さＺについては、図２（ｂ）に示す距離Ｌにより規定することができる。距離Ｌは、マウスリング３８がファンケース３６に支持される位置から、シュラウド５２が室内ファン３４に支持される位置までの距離である。例えば、リブ５６のファン軸方向の高さＺは、０（ｍｍ）〜０．９Ｌ（ｍｍ）の範囲にする。これにより、室内ファン３４により吹出される空気の剥離が起こり難くなる。したがって、ショートサーキットによる非効率な流れを抑え、効率的な流れを実現している。また、ショートサーキットによる逆流を防止することにより、ファン騒音を低減できるという効果も得ることができる。
【００２６】
（比較例１）図３は、リブ５６を設けない場合の空気の流れを図２の場合と比較して説明するものである。図３に示すように、室内ファン３４により軸方向に吸込まれた室内空気は、シュラウド５２に沿って遠心方向に排出される。排出された室内空気は、ダクト３５に向かって通流するが、一部の室内空気は、マウスリング３８とシュラウド５２のラップ部に形成されるギャップに逆流する。これによって、ショートサーキットが発生する。したがって、本比較例では、本発明のリブ５６を設けた場合と比べて（図２ｂ）、空気の循環効率が低下することになるから、空気調和性能が低下する。
【００２７】
（比較例２）図４は、本発明のマウスリング（図４ａ）と従来のマウスリング（図４ｂ）の構成を比較して説明するものである。図４に示すように、本発明のマウスリング３８は、従来のマウスリングと同様に環状部５０とラップ部５１を有しているが、リブ５６が設けられている点で、従来のマウスリングと構成が相違している。したがって、本発明のマウスリング３８をファンケース３６の吸込み口に取り付けることにより、室内ファン３４に吸込まれる空気の流れを整えると共に、室内ファン３４から排出された室内空気が室内ファン３４の吸引側に逆流することを低減できる。
【００２８】
（第２の実施形態）  本発明を適用した空気調和機の第２の実施形態について説明する。図２においては、室内機２についてショートサーキットの発生を抑制することを説明したが、室外機１の室外ファン３０にも後傾翼のターボファンが用いられている。したがって、室外機１の室外ファン室にも第１の実施形態に示した本発明を適用することにより、室外ファン３０の排出空気が、室外ファン３０の吸引側に逆流することを低減できる。
【００２９】
また、室外機１の室外ファン室においては、室外ファン３０と共に回転するシュラウド部にスプラッシュリングを設けることにより、ショートサーキットを低減する方法もある。これについては、図５を参照して説明する。さらに、スプラッシュリング５８による構造と、第１の実施形態に示したリブ５６による構造を併せもつようにすることにより、ショートサーキットの低減効果がより高くなる。
【００３０】
図５（ａ）は、室外ファン室の構成図である。図５（ｂ）は、図５（ａ）に示す部分Ｂの拡大図である。図５に示すように、室外ファン３０により室外空気吸込み口１１から吸込んだ室外空気は、ユニット４３内に取り込まれる。取り込まれた空気は、室外ファンカバー（以下、ファンカバーという。）３１の吸込み口となる室外環状部２９からファン軸方向に吸込まれる。吸込まれた空気は、室外ファン３０により遠心方向に排出される。
【００３１】
ここで、室外空気が通流する経路は、ファンカバー３１と、ファンカバー３１に一体形成された室外環状部２９と、ラップ部６０と、室外ファン３０を構成する室外シュラウド６２と、スプラッシュリング５８により形成されている。スプラッシュリング５８は、室外シュラウド６２の後端部を空気排出方向に延在させ、延在した部分の延在方向の先端側を屈曲して形成されたものである。
【００３２】
このようなスプラッシュリング５８は、室外ファン３０の回転により室外シュラウド６２と共に回転する際に、室外ファン３０の貯水部２１に貯まった凝縮水を掻き揚げる。これによって、掻き揚げられた凝縮水は、熱交換器２８に飛散させるため、熱サイクルの効率化を図ることができる。
【００３３】
すなわち、室外ファン室においては、図５（ｂ）に示すように、熱サイクル効率化の観点からスプラッシュリング５８が設けられる。スプラッシュリング５８は、室外ファン３０の排出側の空間と、ラップ部６０に形成されたギャップとの間を閉塞する位置に設けられる。したがって、スプラッシュリング５８により、熱サイクルの効率化が図れるだけでなく、室外ファン３０から排出された室外空気がギャップに逆流するショートサーキットを抑制することもできる。
【００３４】
（第３の実施形態）  本発明を適用した空気調和機の第３の実施形態について図４及び図６を参照して説明する。本実施形態は、マウスリングを簡単にファンケースに取り付けるようにするマウスリングの取り付け構造の例である。図６は、本実施形態の室内機の構成図である。図６（ａ）は、ユニット４３を側面から見た構成図である。図６（ｂ）は、室内機の構成図である。
【００３５】
まず、従来のマウスリングをファンケース３６の吸込み口に取り付ける方法を説明する。図４（ｂ）に示すように、マウスリング８０は、円周に沿って所定間隔で配設された例えば３つの固定用つめ６０ａ、６０ｂ、６０ｃが形成されている。マウスリング８０をファンケース３６の吸込み口に取り付けるとき、マウスリング８０の固定用つめ６０ａ、６０ｂ、６０ｃは、ファンケース３６の吸込み口の円周に沿って形成された係止部にそれぞれ形成される。係止部は、固定用つめ６０ａ、６０ｂ、６０ｃのそれぞれに対応して形成されたものである。また、マウスリング８０の下端は、露受け４０の底部に形成した係止部にも係止される。
【００３６】
このような従来の取り付け方法では、マウスリング８０を取り付けたり、取り外したりするときには、熱交換器３２を一時的に取り除く作業が必要である。しかも、熱交換器３２を取り除いたとしても、吸込み口１４から奥行き方向に延在する空間を手探りで作業する必要がある。
【００３７】
この点、本実施形態では、図４（ａ）に示すように、マウスリング３８は、周縁から径方向に延在して形成される支持板６４と、支持板６４の上部に所定間隔を離して配設される２つの固定用つめ６２ａ、６２ｂが形成されている。マウスリング３８をファンケース３６の吸込み口に取り付けるとき、図６に示すように、固定用つめ６２ａ、６２ｂは、ファンケース３６の室内側の上方縁部に設けられた２つの係止部６６ａ、６６ｂにそれぞれ係止される。固定用つめ６２ａ、６２ｂの配設位置は、ファンケース３６の室内側の上方縁部に限るものではない。なお、係止部６６ａ、６６ｂは、固定用つめ６２ａ、６２ｂに対応して形成されている。また、マウスリング３８は、環状部５０の下方に位置する外周面が、ファンケース３６の吸込み口の下方に形成された固定部６５に面接触して固定される。なお、固定部６５は、環状部５０の外周面の形状に対応して形成されている。また、本実施形態では、熱交換器３２とマウスリング３８との間の頂部に位置する天上面７０は、着脱可能な別部品として構成されている。
【００３８】
本実施形態によれば、作業者がユニット４３の上面から天上面７０を取り外した後、固定用つめ６２ａ、６２ｂと係止部６６ａ、６６ｂの係止状態や、環状部５０と固定部６５との係止状態を確認しながら、マウスリング３８をファンケース３６の吸込み口に取り付けたり、取り外したりすることをワンタッチでスムースに行うことができる。したがって、空気調和機のメンテナンス、保守・点検における作業効率が向上する。
【００３９】
また、マウスリング３８がファンケース３６に取り付けられた状態では、支持板６４の板面とファンケース３６の接触面積を確保することができる。したがって、接触面で発生する摩擦力により、マウスリング３８の取り付け位置のズレを低減することができる。
【００４０】
さらに、ファンケース３６は、熱漏洩を低減する観点から発泡材により形成するのが望ましいとされているが、所定の肉厚を要するマウスリングは樹脂材により形成される。したがって、図４（ｂ）に示すマウスリング８０をファンケース３６に脱着するとき、マウスリング８０の外周からファン軸方向に力を加え環状部をしならせながら、吸込み口側からマウスリング８０を作業可能範囲で室内側に引き剥くようにすると、ファンケース３６の係止部に過剰な力が加わる。その結果、マウスリング８０の脱着が繰り返されたとき、ファンケース３６の係止部に滑りが生じる場合がある。これを回避するために、ファンケース３６のマウスリング３８の取り付け位置については、樹脂材により形成するのが一般的である。
【００４１】
この点、本実施形態によれば、マウスリング３８をファンケース３６に支持板６４を介して係止されるから、マウスリング３８を脱着する際に、従来のマウスリング８０のような周縁に複数の嵌合用つめを設けた場合に比べ、係止部６６ａに加わる力が小さくなり、係止部６６ａの強度がそれほど必要なくなる。したがって、ファンケース３６の全てを発泡材により形成することができるようになるから、発砲材の特性により熱漏洩を低減できたり、軽量化を図れたりすることができる。
【００４２】
図６（ｂ）を参照してマウスリング３８の取り外し方法を例として説明する。作業者は、ユニット４３の上面からマウスリング３８の２ヶ所に配置された固定用つめ６２ａ、６２ｂを作業可能な方向である鉛直方向上側に例えば１０ｍｍ引く（１）。その後、室内側の方向に引き剥く（２）。これにより、簡単にマウスリング３８を取り外すことができる。したがって、空気調和機の保守・点検の作業効率を向上させることができる。なお、取り付け方法についても、手順を逆にするだけで簡単に行うことができる。
【００４３】
なお、支持板６４に固定用つめ６２ａ、６２ｂを形成する例を説明したが、これに限られるものではなく、例えば、図４（ａ）に示す支持板６４に少なくとも１つの差込用の穴を形成し、支持板６４の穴に対応した固定リブをファンケース３６に形成してもよい。要するに、マウスリング３８を鉛直方句に移動可能にするとともに、マウスリング３８を支持板６４を介して係止できればよい。
【００４４】
以上、第１乃至第３の実施形態に基づいて本発明を説明したが、これに限られるものではない。例えば、本実施形態では、一体型の空気調和機に本発明を適用した例を説明したが、室内機と室外機が分離したセパレート型のものにも適用することができる。要するに、後傾翼のターボファンなどの室内ファンの構造に起因してショートサーキットが発生する空気調和機であれば、いずれの形態のものにも本発明を適用することができる。具体的には、シュラウドの内面とマウスリングの外面がラップした部分に形成されるギャップが、室内ファンの排出側の空間に連通する構造を有する空気調和機に適用すればよい。
【図面の簡単な説明】
【００４５】
【図１】本発明の第１の実施形態の空気調和機の斜視図と構成図である。
【図２】本発明の室内機の構造を示す構成図である。
【図３】ショートカット防止用のリブを設けない場合の空気の流れを図２の場合と比較する説明図である。
【図４】本発明のマウスリングの構成を従来のものと比較する説明図である。
【図５】室外機の構造を示す構成図である。
【図６】本発明の第３の本実施形態の室内機の構成図である。
【符号の説明】
【００４６】
１  室外機
２  室内機
１０  筐体
１２  化粧カバー
１４  吸込み口
１６ａ  吹出し口
３２  熱交換器
３４  室内ファン
３６  室内ファンケース
３８  マウスリング
５０  環状部
５１  ラップ部
５２  シュラウド
５６  リブ
６２ａ  固定用つめ
６４  支持板
６５  固定部
【図１】
2005241220.tif 000003
【図２】
2005241220.tif 000004
【図３】
2005241220.tif 000005
【図４】
2005241220.tif 000006
【図５】
2005241220.tif 000007
【図６】
2005241220.tif 000008